(57)【要約】【課題】塀等の壁状体の全体において、雨染みの発生による外観の劣化を防止する。【解決手段】断面が略Ｌ字型で、底板１ｂと側板１ａとを有する枠材１を、側板１ａが外側になり、該側板１ａの外側表面が壁状体２の側壁面と連続するように、壁状体２の天面２ａに取り付け、天面２ａに降った雨水を側板１ａで堰き止めて、枠材１に設けた排出口１ｃより選択的に排出させる。【選択図】図１
2020111999.tif 000002
【特許請求の範囲】
【請求項１】
水平な天面を有する壁状体の雨染み防止構造であって、
底板と、前記底板の幅方向端部より立ち上がる側板とを備えた、断面がＬ字型の枠材が、前記側板が外側に、前記底板が内側にそれぞれ配置し、前記底板が前記天面に接するように、前記天面の外周に沿って取り付けられ、
前記枠材によって前記天面に溜まった雨水を排出する排出口を有することを特徴とする壁状体の雨染み防止構造。
【請求項２】
前記排出口が、前記側板に形成されていることを特徴とする請求項１に記載の壁状体の雨染み防止構造。
【請求項３】
長尺の溝形部材を備えたカバー材が、前記溝形部材の一端側が前記排出口を覆い、他端が前記壁状体の側壁面の下端近傍に位置するように、前記側壁面に取り付けられていることを特徴とする請求項２に記載の雨染み防止構造。
【請求項４】
前記天面の外周の少なくとも一辺に沿った部分において、前記底板が前記天面から外側に突出し、前記排出口が、前記底板の前記天面から突出した領域に形成されていることを特徴とする請求項１に記載の壁状体の雨染み防止構造。
【請求項５】
長尺の溝形部材を備えたカバー材が、前記溝形部材の一端が前記排出口に向かい、他端が前記壁状体の側壁面の下端近傍に位置するように、前記側壁面に取り付けられていることを特徴とする請求項４に記載の雨染み防止構造。
【請求項６】
厚さ方向が水平方向に対して傾斜した天面を有する壁状体の雨染み防止構造であって、
前記天面の高さが低い側の一辺に沿って、長尺の枠材が、上端が前記一辺より突出するように、前記壁状体の側壁面に取り付けられ、
前記枠材によって前記天面に溜まった雨水を排出する排出口を有することを特徴とする壁状体の雨染み防止構造。
【請求項７】
前記枠材が、長尺の平板であることを特徴とする請求項６に記載の壁状体の雨染み防止構造。
【請求項８】
前記枠材が前記排出口を有することを特徴とする請求項７に記載の壁状体の雨染み防止構造。
【請求項９】
長尺の溝形部材を備えたカバー材が、前記溝形部材の一端が前記排出口を覆い、他端が前記側壁面の下端近傍に位置するように、前記側壁面に取り付けられていることを特徴とする請求項８に記載の壁状体の雨染み防止構造。
【請求項１０】
２枚の前記壁状体が、水平方向においてコーキング材を介して連結され、前記枠材を取り付けた前記側壁面側において、前記コーキング材の表面と前記枠材との間に介在する隙間を前記排出口とすることを特徴とする請求項７に記載の壁状体の雨染み防止構造。
【請求項１１】
長尺で平板のカバー材が、一端が前記枠材に連続し、他端が前記側壁面の下端近傍に位置するように、前記コーキング材を覆って前記側壁面に取り付けられていることを特徴とする請求項１０に記載の壁状体の雨染み防止構造。
【請求項１２】
前記枠材が、略Ｚ字型の断面形状を有し、前記側壁面に接して固定された取り付け板と、前記取り付け板の上端に一端が連結され他端が前記側壁面から離れる方向に突出する連結板と、前記連結板の前記他端に下端が連結され上端が上方に突出する側板と、を備え、前記連結板が、前記天面よりも低い位置に配置されていることを特徴とする請求項６に記載の壁状体の雨染み防止構造。
【請求項１３】
前記連結板が前記排出口を有することを特徴とする請求項１２に記載の壁状体の雨染み防止構造。
【請求項１４】
長尺の溝形部材を備えたカバー材が、前記溝形部材の一端が前記排出口に向かい、他端が前記側壁面の下端近傍に位置するように、前記側壁面に取り付けられていることを特徴とする請求項１３に記載の雨染み防止構造。
【発明の詳細な説明】
【技術分野】
【０００１】
本発明は、雨水が接触する環境下に配置された、塀や手すりなどの壁状体の側壁面に発生する雨染みの防止構造に関する。
【背景技術】
【０００２】
家屋などの建築物の周囲に形成される塀や、マンションやアパートなどの集合住宅の外廊下やバルコニーの手すりは、天面に降った雨水が側壁面を伝って流れ落ちることにより、該側壁面に水垢や汚れが付着して雨染みが発生し、外観が経時的に劣化するという問題があった。
【０００３】
特許文献１には、塀の天面に、外壁面から内壁面に向かって傾斜するスロープ部材を取り付けることによって、天面に降った雨水を内壁面側に排出して、外壁面における雨染みの発生を防止する構造が開示されている。
【先行技術文献】
【特許文献】
【０００４】
【特許文献１】実用新案登録第３１５０３２５号公報
【発明の概要】
【発明が解決しようとする課題】
【０００５】
特許文献１に開示された構造では、外壁面には雨水が流れ落ちないため、雨染みの発生を防止することができるものの、内壁面には流れ落ちた雨水によって全体的に雨染みが発生する。特に、内壁面には、本来、外壁面に流れ落ちるはずだった分の雨水も流れ落ちるため、より雨染みが発生しやすくなり、外観の劣化が著しくなる。
【０００６】
本発明の課題は、塀等の壁状体の全体において、雨染みの発生による外観の劣化を防止することにある。
【課題を解決するための手段】
【０００７】
本発明の第１は、水平な天面を有する壁状体の雨染み防止構造であって、
底板と、前記底板の幅方向端部より立ち上がる側板とを備えた、断面がＬ字型の枠材が、前記側板が外側に、前記底板が内側にそれぞれ配置し、前記底板が前記天面に接するように、前記天面の外周に沿って取り付けられ、
前記枠材によって前記天面に溜まった雨水を排出する排出口を有することを特徴とする壁状体の雨染み防止構造である。
【０００８】
上記本発明の第１の雨染み防止構造においては、以下の構成を好ましい態様として含む。
（１）前記排出口が、前記側板に形成されている。
（２）上記（１）において、長尺の溝形部材を備えたカバー材が、前記溝形部材の一端側が前記排出口を覆い、他端が前記壁状体の側壁面の下端近傍に位置するように、前記側壁面に取り付けられている。
（３）前記天面の外周の少なくとも一辺に沿った部分において、前記底板が前記天面から外側に突出し、前記排出口が、前記底板の前記天面から突出した領域に形成されている。
（４）上記（３）において、長尺の溝形部材を備えたカバー材が、前記溝形部材の一端が前記排出口に向かい、他端が前記壁状体の側壁面の下端近傍に位置するように、前記側壁面に取り付けられている。
【０００９】
本発明の第２は、厚さ方向が水平方向に対して傾斜した天面を有する壁状体の雨染み防止構造であって、
前記天面の高さが低い側の一辺に沿って、長尺の枠材が、上端が前記一辺より突出するように、前記壁状体の側壁面に取り付けられ、
前記枠材によって前記天面に溜まった雨水を排出する排出口を有することを特徴とする壁状体の雨染み防止構造である。
【００１０】
上記本発明の第１の雨染み防止構造においては、以下の構成を好ましい態様として含む。
（５）前記枠材が、長尺の平板である。
（６）上記（５）において、前記枠材が前記排出口を有する。
（７）上記（６）において、長尺の溝形部材を備えたカバー材が、前記溝形部材の一端が前記排出口を覆い、他端が前記側壁面の下端近傍に位置するように、前記側壁面に取り付けられている。
（８）上記（５）において、２枚の前記壁状体が、水平方向にコーキング材を介して連結され、前記枠材を取り付けた前記側壁面側において、前記コーキング材の表面と前記枠材との間に介在する隙間を前記排出口とする。
（９）上記（８）において、長尺で平板のカバー材が、一端が前記枠材に連続し、他端が前記側壁面の下端近傍に位置するように、前記コーキング材を覆って前記側壁面に取り付けられている。
（１０）前記枠材が、略Ｚ字型の断面形状を有し、前記側壁面に接して固定された取り付け板と、前記取り付け板の上端に一端が連結され他端が前記側壁面から離れる方向に突出する連結板と、前記連結板の前記他端に下端が連結され上端が上方に突出する側板と、を備え、前記連結板が、前記天面よりも低い位置に配置されている。
（１１）上記（１０）において、前記連結板が前記排出口を有する。
（１２）上記（１１）において、長尺の溝形部材を備えたカバー材が、前記溝形部材の一端が前記排出口に向かい、他端が前記側壁面の下端近傍に位置するように、前記壁状体の前記側壁面に取り付けられている。
【発明の効果】
【００１１】
本発明によれば、枠材を用いることにより、壁状体の天面に降った雨水を所望の位置からのみ排出させることができるため、側壁面において雨染みが発生する箇所を最小限に抑え、且つ、雨染みが発生する箇所を目立たない位置に設定することができる。よって、壁状体全体における外観の劣化が防止される。
【００１２】
特に、本発明においては、カバー材を用いて、天面から排出される雨水の通路を覆って雨染みを覆い隠すことにより、壁状体における外観の劣化をより効果的に防止することができる。
【図面の簡単な説明】
【００１３】
【図１】本発明の第１の雨染み防止構造の一実施形態の模式図であり、（ａ）は壁状体の天面付近の斜視図、（ｂ）は壁状体の天面の長手方向の一端付近の拡大図である。
【図２】本発明の第１の雨染み防止構造の他の実施形態の模式図であり、（ａ）は壁状体の天面付近の斜視図、（ｂ）は壁状体の天面の長手方向の一端付近の拡大図である。
【図３】図１の実施形態において、カバー材を用いた構成の、天面の長手方向の一端付近の斜視図である。
【図４】図２の実施形態において、カバー材を用いた構成の、天面の長手方向の一端付近の斜視図である。
【図５】本発明に用いられるカバー材の断面形状を示す図である。
【図６】本発明の第２の雨染み防止構造の一実施形態の模式図であり、（ａ）は壁状体の天面付近の斜視図、（ｂ）は壁状体の天面の長手方向の一端側から見た天面付近の側面図、（ｃ）は枠材に排出口を形成した構成の天面付近の斜視図である。
【図７】図６の実施形態において、カバー材を用いた構成の、天面の長手方向の一端付近の斜視図である。
【図８】本発明の第２の雨染み防止構造の他の実施形態の模式図であり、（ａ）は壁状体の天面付近の斜視図、（ｂ）は壁状体の天面の長手方向の一端側から見た天面付近の側面図である。
【図９】図８の実施形態において、カバー材を用いた構成の、天面の長手方向の一端付近の斜視図である。
【図１０】図６の実施形態において、壁状体の連結部分を排出口として用いた形態を示す模式図であり、（ａ）は壁状体の天面付近の斜視図、（ｂ）は壁状体の天面から見た連結部分付近の上面図、（ｃ）は側壁面にカバー材を取り付けた構成の、天面付近の斜視図である。
【発明を実施するための形態】
【００１４】
本発明の壁状体の雨染み防止構造は、壁状体の天面或いは天面近傍の側壁面に、簡単な構成の枠材を取り付けることによって、所望の位置から天面に降った雨水を排出し、これにより、壁状体の側壁面における雨染みの発生による外観の劣化を防止したことに特徴を有する。
【００１５】
尚、本発明において、壁状体とは、家屋などの建築物の周囲に形成される塀、マンションやアパートなどの集合住宅の外廊下やバルコニーの手すりなど、所定の厚さを有し、降雨の際に雨水が直接天面に降る壁状の部材をさす。また、本発明でいう「雨染み」は、雨水と同様に、壁状体の天面に積もった雪が融けて生じる融雪水によっても生じるため、本発明でいう「雨水」には、係る融雪水も含まれるものとする。
【００１６】
以下、本発明の実施形態を挙げ、図面を参照して説明するが、本発明は係る実施形態に限定されるものではない。
【００１７】
〔第１の雨染み防止構造〕
図１に本発明の第１の雨染み防止構造の一実施形態の構成を模式的に示す。図１（ａ）は壁状体の天面付近の斜視図であり、（ｂ）は（ａ）の部分拡大図であり、天面の長手方向の一端付近の斜視図である。
【００１８】
第１の雨染み防止構造では、壁状体２の天面２ａが水平な場合に適用され、図１に示すように、断面がＬ字型の枠材１を用いる。枠材１は、底板１ｂと、該底板１ｂの幅方向端部から立ち上がる側板１ａとを有している。そして、該枠材１は、側板１ａが外側に配置し、底板１ｂが内側に配置し、側板１ａの外側表面と壁状体２の側壁面２ｂ、２ｃとが連続するように、天面２ａの外周に沿って天面２ａに取り付けられる。枠材１の天面２ａへの取り付けは、底板１ｂと天面２ａとを接着剤で接着してもよいし、ねじや釘などの部材で底板１ｂを天面２ａに固定してもよい。尚、図１の実施形態では、枠材１を天面２ａの全外周に取り付けているが、枠材１を取り付ける領域は、天面２ａの外周において、天面２ａよりも高い他の部材に接しておらず、開放端である領域である。他の部材に接していない開放端では、天面２ａに降った雨水が側壁面２ｂ、２ｃへ流れ落ち、雨染みを発生させるからである。また、図１に示す枠材１は、天面２ａの外周に沿って連続し、平面形状が長方形であるが、断面がＬ字型で長尺の枠材を天面２ａの４辺にそれぞれ取り付ければよい。本発明においては、最終的に天面２ａに降った雨水が、側板１ａによって堰き止められる構成となればよい。
【００１９】
図１の実施形態においては、枠材１の側板１ａに排出口１ｃが形成されており、該側板１ａによって堰き止められた雨水は係る排出口１ｃから排出され、壁状体２の側壁面２ｃを伝って落下する。よって、排出口１ｃの下方には雨染みが発生するため、係る排出口１ｃは、周囲から見えにくく、雨染みが発生しても目立たない位置に形成すればよい。尚、排出口１ｃは２箇所以上形成してもよい。本発明では、排出口１ｃの位置によって、雨染みが発生する箇所を調整することができるため、雨染みが発生する箇所を側壁面の目立たない位置に限定し、全体として雨染みによる外観の劣化を防止することができる。
【００２０】
図２は、本発明の他の実施形態の構成を模式的に示す図であり、図２（ａ）は壁状体２の天面２ａ付近の斜視図であり、（ｂ）は（ａ）の部分拡大図であって、天面２ａの長手方向の一端付近の斜視図であり、説明のため、枠材１の側板１ａの一部を切り描いた状態を示す。
【００２１】
本実施形態では、図１に示した実施形態と同様の、断面がＬ字型の枠材１を用いるが、係る枠材１を取り付ける際に、天面２ａの外周の少なくとも一辺において、底板１ｂが天面２ａから外側に突出しており、この突出した領域に排出口１ｃが形成されている。係る構成以外は、図１の実施形態と同様であり、説明を省略する。
【００２２】
図２の実施形態において、壁状体２の天面２ａに降った雨水は、枠材１によって堰き止められ、排出口１ｃより排出される。
【００２３】
尚、図２の実施形態においては、天面２ａから底板１ｂが突出する箇所は、天面２ａの１辺のみであるが、２辺以上であってもよく、排出口１ｃを２箇所以上形成してもよい。
【００２４】
図１、図２に示した実施形態では、それぞれ、壁状体２の天面２ａに降った雨水が、枠材１によって堰き止められ、排出口１ｃのみから排出される。よって、雨染みは、側壁面２ｃの、係る排出口１ｃの下方にのみ発生するため、排出口１ｃを目立たない位置に設ければ、雨染みを目立たなくすることができる。
【００２５】
図１、図２の実施形態においては、さらに、排出口１ｃから排出された雨水の経路にカバー材を配置することで、雨染みを覆い隠すことができる。図３、図４に係るカバー材を用いた構成を示す。
【００２６】
図１の実施形態であれば、図３に示すように、溝形部材３ａを有するカバー材３を、該溝形部材３ａの一端が排出口１ｃを覆い、他端が壁状体２の下端近傍に配置するように、側壁面２ｃに取り付ける。また、図２の実施形態であれば、図４に示すように、図３と同様のカバー材３を、溝形部材３ａの一端が図２に示した排出口１ｃに向かい、他端が壁状体２の下端近傍に配置するように、側壁面２ｃに取り付ける。尚、図３、図４はそれぞれ図１（ｂ）、図２（ｂ）の構成に、カバー材３を取り付けた状態を示す斜視図であり、図４においては、説明のために、図２（ｂ）より、さらに、枠材１の底板１ｂの排出口１ｃ周辺を切り欠いた状態を示す。
【００２７】
図３、図４中の３ｂは、溝形部材３ａの両端に連結形成された取り付け部材であり、係る取り付け部材３ｂを、接着剤を介して、或いは、ねじや釘などで側壁面２ｃに固定することにより、カバー材３を壁状体２に固定する。また、流れ込んだ雨水が溝形部材３ａの下端から速やかに排出されるように、カバー材３の下端側は、壁状体２の下端近傍、即ち、該下端から少し上方に位置するように設定する。
【００２８】
本発明において、カバー材３の溝形部材３ａとは、壁状体２の側壁面に取り付けた際に、トンネル状の通路を形成しうる、断面形状が凹形状の部材であり、具体的な断面形状としては、図３、図４及び図５（ａ）に示す略コ字型、図５（ｂ）に示す略Ｕ字型、図５（ｃ）に示す略Ｖ字型、図５（ｄ）及び図５（ｅ）に示す半楕円型、図５（ｆ）に示す半円型などが挙げられる。また、素材としては、樹脂製、金属製のいずれでもよいが、金属製であれば錆びにくいステンレス製や、表面を樹脂被覆したものが好ましく用いられる。また、樹脂製や、金属材料の被覆樹脂としては、耐候性に優れたポリ塩化ビニルなどが好ましく用いられる。
【００２９】
図３、図４の実施形態においては、壁状体２の天面２ａに降った雨水は、排出口１ｃから、溝形部材３ａと側壁面２ｃとで囲まれた通路に排出され、該通路を経て、カバー材３の下端側から排出される。よって、係る通路を通った雨水によって側壁面２ｃに発生する雨染みは、溝形部材３ａによって覆い隠されるため、壁状体２の側壁面の外観の劣化がより効果的に防止される。
【００３０】
尚、上記図１〜図４の実施形態においては、側板１ａ又は底板１ｂのいずれかに排出口１ｃを設けた構成を示したが、枠材１自体を部分的に取り付けない領域を設けて排出口１ｃとしてもよい。
【００３１】
〔第２の雨染み防止構造〕
次に、本発明の第２の雨染み防止構造について、説明する。
【００３２】
第２の雨染み防止構造は、壁状体の天面が、厚さ方向が水平方向に傾斜している場合に適用され、天面の高さが低い側の一辺に沿って、長尺の枠材が、上端が前記一辺より突出するように、壁状体の側壁面に取り付けられている。
【００３３】
図６に本発明の第２の雨染み防止構造の一実施形態の構成を模式的に示す。図６（ａ）は壁状体の天面付近の斜視図であり、（ｂ）は天面の長手方向の一端から見た天面付近の側面図、（ｃ）は枠材に排出口を設けた構成の天面付近の斜視図である。尚、図１〜図４と同じ部材には同じ符号を付した。
【００３４】
本実施形態では、長尺の平板である枠材４が、天面２ａの高さが低い側の側壁面２ｃの上端側に、上端が天面２ａの一辺(側壁面２ｃの上端)より突出するように、下端側を壁状体２の側壁面２ｃに取り付けられている。取り付け方法は、接着剤やねじ、釘などが用いられる。
【００３５】
本実施形態においては、天面２ａに降った雨水は、天面２ａの傾斜によって枠材４に向かって流れ、枠材４によって堰き止められる。次いで、枠材４側に溜まった雨水は、枠材４に沿って該枠材４の長手方向に沿って流れ、枠材４の長手方向の端部から排出される。よって、本実施形態の構成では、雨染みは、枠材４の長手方向の端部の下方にのみ発生するため、該雨染みは目立たなくなる。
【００３６】
図６（ａ）の構成では、枠材４の長手方向の両端部を排出口として雨水が排出されるが、図６（ｃ）に示すように、枠材４に排出口４ａを形成することで、雨染みが発生する箇所を所望の位置に設定することも可能である。特に、壁状体２の側壁面２ｂ側が天面２ａよりも高い他の部材に接していて、天面２ａの側壁面２ｂ側の一辺が開放端ではない場合には、枠材４の端部から雨水が排出しにくくなるため、積極的に排出口４ａを設けることが好ましい。また、枠材４の端部を、一方の側壁面２ｂから離すことによって排出口４ａとしてもよいし、２本の枠材４を、長手方向において端部間に間隔を空けて取り付けることで、該間隔を排出口４ａとしてもよい。
【００３７】
さらに、排出口４ａを設けた構成においては、図７に示すように、図３〜図５に例示したカバー材３を、溝形部材３ａの一端が排出口４ａを覆い、他端が側壁面２ｃの下端近傍に位置するように、側壁面２ｃに取り付けることで、図３の実施形態と同様に、溝形部材３ａで雨染みを覆い隠して該雨染みによる外観の劣化を防止することができる。
【００３８】
次に、図８に、本発明の第２の雨染み防止構造の他の実施形態の構成を模式的に示す。図８（ａ）は壁状体の天面付近の斜視図であり、（ｂ）は天面の長手方向の一端から見た天面付近の側面図である。尚、図１〜図４と同じ部材には同じ符号を付した。
【００３９】
本実施形態では、枠材５は、断面が略Ｚ字型で、側板５ａと、該側板５ａの一端に一端が連結された連結板５ｂと、該連結板の他端に一端が連結された取り付け板５ｃと、を有している。係る枠材５は、図８（ｂ）に示すように、取り付け板５ｃが側壁面２ｃに取り付けられることで、該取り付け板５ｃの上端に一端が連結された連結板５ｂが側壁面２ｂから離れる方向に突出し、該連結板５ｂの他端に下端が連結された側板５ａの上端が上方に突出する。また、枠材５は、連結板５ｂが天面２ａよりも低くなるように、側壁面２ｂに取り付けられている。
【００４０】
本実施形態においては、天面２ａに降った雨水は、天面２ａの傾斜によって枠材５に向かって流れ、枠材５の連結板５ｂと側板５ａと側壁面２ｃとで形成された溝部に溜まり、次いで、枠材５に沿って該枠材５の長手方向に流れ、枠材５の端部から排出される。よって、本実施形態の構成では、雨染みは、枠材５の長手方向の端部の下方にのみ発生するため、該雨染みは目立たなくなる。
【００４１】
図８の構成では、枠材５の長手方向の両端部を排出口として雨水が排出されるが、枠材５の連結板５ｂに不図示の排出口を設けることにより、図６（ｃ）と同様に、雨染みが発生する箇所を所望の位置に設定することも可能である。よって、本実施形態においても、枠材５の端部を、一方の側壁面２ｂから離すことによって排出口としてもよいし、２本の枠材５を、長手方向において端部間に間隔を空けて取り付けることで、該間隔を排出口としてもよい。
【００４２】
また、本実施形態においても、図９に示すように、図３〜図５に例示したカバー材３を側壁面２ｃに取り付けることで、図４の実施形態と同様に、溝形部材３ａによって雨染みを覆い隠して雨染みによる外観の劣化を防止することができる。尚、図９は、側板５ａの端部を一部切り欠いた状態を示し、図９中、５ｄは連結板５ｂに設けた排出口であり、図４の実施形態と同様に、カバー材３を、溝形部材３ａの一端が排出口５ｄに向かい、他端が側壁面２ｃの下端近傍に位置するように、側壁面２ｃに取り付けることにより、溝形部材３ａによって雨染みを覆い隠して、雨染みにより壁状体２の外観の劣化を防止することができる。
【００４３】
また、マンションやアパートなどの集合住宅の外廊下やバルコニーの手すりなどの壁状体においては、外気温の変動による該壁状体の膨張、収縮に対応すべく、所定の水平距離毎に壁状体を分割して所定の間隙を設け、係る間隙に弾性を有するコーキング材を充填して連結している。即ち、２枚の前記壁状体が、水平方向においてコーキング材を介して連結された連結部分を有している。係る連結部分において、コーキング材表面は壁状体の表面よりも凹んで溝を形成しており、係る溝を排出口として利用することができる。
【００４４】
具体的には、図６（ａ）に示した実施形態と同様に、平板の枠材４を天面２ａの高さが低い側の側壁面２ｃに取り付ける（図１０（ａ））と、連結部分においては、コーキング材６の表面が凹んでいることから、図１０（ｂ）に示すように、コーキング材６の表面と枠材４との間に隙間が介在することになる。よって、係る隙間を排出口４ａとして利用することができ、天面２ａに降った雨水は、天面２ａの傾斜によって枠材４に向かって流れ、枠材４側に溜まった雨水は、枠材４に沿って該枠材４の長手方向に沿って流れ、連結部分において排出口４ａから排出される。
【００４５】
排出口４ａから排出された雨水は、コーキング材６表面を伝って下方に落下するため、図１０（ｃ）に示すように、コーキング材６をカバー材７で覆うことで、コーキング材６及びコーキング材６周辺の側壁面２ｃに発生する雨染みを覆い隠すことができる。本実施形態の場合、コーキング材６表面が側壁面２ｃ表面よりも内側に凹んで溝を形成しているため、カバー材７は、長尺で平板でよく、一端が枠材４に連続し、他端が側壁面２ｃの下端近傍に位置するように取り付ければよい。尚、図１０（ｃ）においては、カバー材７の上端を枠材４の下端に接するように取り付けているが、カバー材７の上端が枠材４の外側に重なるように取り付けても構わない。
【符号の説明】
【００４６】
１：枠材、１ａ：側板、１ｂ：底板、１ｃ：排出口、２：壁状体、２ａ：天面、２ｂ、２ｃ：側壁面、３：カバー材、３ａ：溝形部材、３ｂ：取り付け部材、４，５：枠材、５ａ：側板、５ｂ：連結板、５ｃ：取り付け板、５ｄ：排出口、６：コーキング材、７：カバー材
【図１】
2020111999.tif 000003
【図２】
2020111999.tif 000004
【図３】
2020111999.tif 000005
【図４】
2020111999.tif 000006
【図５】
2020111999.tif 000007
【図６】
2020111999.tif 000008
【図７】
2020111999.tif 000009
【図８】
2020111999.tif 000010
【図９】
2020111999.tif 000011
【図１０】
2020111999.tif 000012